(57)【要約】【課題】印刷機の信頼性を高め得る、ウエブ破断監視装置を提供する。【解決手段】輪転印刷機のウエブ破断監視装置であって、印刷ウエブ８の縁部を検出する検出装置２６と、検出装置２６に隣接して配置されると共に、ウエブ縁部を横切るように向けられた空気による付勢力を発生させる圧縮空気ノズル３２，３４を少なくとも１つ備えた空気式の変位装置３０と、印刷ウエブ８の搬送速度に応じて、上記付勢力を変化させる制御器５０と、を備える。【選択図】図１
2007069610.tif 000002
【特許請求の範囲】
【請求項１】
テンションを及ぼされつつ順次搬送される印刷ウエブ（８）におけるウエブ縁部（２２，２４）の少なくとも一方の面に対向して配置され、当該ウエブ縁部（２２，２４）を検出すると共に、前記テンションの低下によって前記ウエブ縁部（２２，２４）が検出範囲から外れた際にウエブ破断シグナル（４０）を発生させる少なくとも１つの検出装置（２６）と、
前記検出装置（２６）の付近において、前記ウエブ縁部（２２，２４）の少なくとも一方の面に対向して配置され、前記テンションの低下の際、前記ウエブ縁部（２２，２４）の一方の面に圧縮空気流を吹き付けることにより、当該ウエブ縁部（２２，２４）を前記検出装置（２６）の前記検出範囲外へ変位させる付勢力を生じせしめる圧縮空気ノズル（３２，３４）を有する少なくとも１つの空気式変位装置（３０）と、
を備えた輪転印刷機のウエブ破断監視装置であって、
前記印刷ウエブ（８）の搬送速度に応じて変化するウエブ搬送速度シグナル（５２）に応答すると共に、予め定められた比率に応じて、前記圧縮空気ノズル（３２，３４）の少なくとも一方による前記付勢力を、前記搬送速度が遅い場合は減少させ、前記搬送速度が速い場合は増加させる制御器（５０）を備えていることを特徴とする輪転印刷機のウエブ破断監視装置。
【請求項２】
前記制御器（５０）は、前記圧縮空気ノズル（３２，３４）の少なくとも一方に供給される圧縮空気をリークさせてその圧力を変化させることにより、前記付勢力を、前記搬送速度が遅い場合は減少させ、前記搬送速度が速い場合は増加させるようになっていることを特徴とする請求項１に記載のウエブ破断監視装置。
【請求項３】
前記検出装置（２６）は、前記印刷ウエブ（８）における一方の面側に配置されて検出線（４３）を出射するトランスミッタ（４１）と、他方の面側に配置されて前記検出線（４３）を受けるレシーバ（４２）と、を備えていて、
前記検出線（４３）は、前記印刷ウエブ（８）の前記テンションが正常である場合、前記ウエブ縁部（２２，２４）を横切るようになっており、さらに、
前記ウエブ縁部（２２，２４）は、前記テンションが所定値よりも低下した場合、前記圧縮空気ノズル（３２，３４）の少なくとも一方による前記付勢力によって、前記検出線（４６）が横切らない位置まで変位せしめられるようになっていることを特徴とする請求項１または２に記載のウエブ破断監視装置。
【請求項４】
前記トランスミッタ（４１）および前記レシーバ（４２）のうちの一方は、前記印刷ウエブ（８）の一方の面側に配置され、他方は、前記印刷ウエブ（８）の他方の面側にそれぞれ配置されていて、
前記トランスミッタ（４１）および前記レシーバ（４２）は、前記印刷ウエブ（８）の幅方向に関して互いに位置をずらして配置されていると共に、前記検出線（４３）が前記印刷ウエブ（８）の面に対して傾斜するように配置されており、さらに
前記互いに位置をずらして配置されたトランスミッタ（４１）およびレシーバ（４２）のうち、前記幅方向の中央に近い方は、前記印刷ウエブ（８）の面に関して前記圧縮空気ノズル（３２，３４）と同じ側に配置されていることを特徴とする請求項３に記載のウエブ破断監視装置。
【請求項５】
前記付勢力は、ウエブ側端（６０，６２）の側から内側に前記ウエブ縁部（２２，２４）を横切るように向けられていて、前記印刷ウエブ（８）のテンションが適正に保たれている正常運転中、前記ウエブ縁部（２２，２４）の領域に、前記印刷ウエブ（８）幅方向にわたって窪み（６４，６６）を形成する強さに設定されていることを特徴とする請求項１〜４のいずれか１項に記載のウエブ破断監視装置。
【請求項６】
前記トランスミッタ（４１）および前記レシーバ（４２）は、前記印刷ウエブ（８）のテンションが適正に保たれている正常運転中、前記検出線（４３）が前記窪み（６４，６６）を横切るように配置されていることを特徴とする請求項５に記載のウエブ破断監視装置。
【請求項７】
少なくとも２つの前記圧縮空気ノズル（３２，３４）は、前記印刷ウエブ（８）の同じ面側に配置されていると共に、前記ウエブ縁部（２２，２４）の少なくとも一方に近接して配置されていて、
前記圧縮空気流（３５，３６）は、前記ウエブ縁部（２２，２４）において、前記印刷ウエブ（８）の幅方向に関して互いにずれた位置に向けられ、一方の前記圧縮空気流（３５）が他方の前記圧縮空気流（３６）よりも前記ウエブ側端（６０，６２）に近い位置に当たるようになっていることを特徴とする請求項１〜６のいずれか１項に記載のウエブ破断装置。
【請求項８】
それぞれが、請求項１〜７のいずれかに記載の前記検出装置（２６）と前記空気式変位装置（３０）とを有する２つの構成を備え、一方の前記構成は、前記ウエブ縁部（２２，２４）の一方側に配置され、他方の前記構成は、前記ウエブ縁部（２２，２４）の他方側に配置されていることを特徴とする輪転印刷機のウエブ破断監視装置。
【発明の詳細な説明】
【技術分野】
【０００１】
本発明は、輪転印刷機のウエブ破断監視装置に関する。
【背景技術】
【０００２】
独国特許出願公開第３９３９２２６号明細書には、輪転印刷機のウエブ破断監視装置に関する従来技術が開示されている。ウエブ破断監視装置は、印刷機の適所、特に印刷機における最後の印刷ユニットと、頻繁にウエブ破断が生じる箇所である、印刷ウエブを乾燥させるための乾燥機との間に配置される。
【０００３】
欧州特許第０８９５８６０号明細書には、輪転印刷機における最初の印刷ユニット前に配置されたウエブ搬送エラー検出装置が開示されている。この検出装置は、多数の光ファイバを具備すると共に、印刷ウエブによる遮光に応答して信号を発生させる複数のセンサを有している。
【特許文献１】独国特許出願公開第３９３９２２６号明細書
【特許文献２】欧州特許第０８９５８６０号明細書
【発明の開示】
【発明が解決しようとする課題】
【０００４】
ところで、印刷ウエブに及ぼされるテンションは、ウエブの搬送速度が速いと高くなる。その結果、上記のような印刷機では、ウエブ破断が生じた際、空気式の変位装置による印刷ウエブの変位が遅れてしまう場合があった。この遅れの間、印刷機は引き続き運転されるため、ウエブ破断後に印刷機を通過する印刷ウエブ、すなわち刷り損じ（屑）の長さが長くなっていた。そして、損傷した印刷ウエブが印刷機の印刷胴に巻かれた場合、巻かれた印刷ウエブの多くは胴間において詰りを生じさせ、それによって印刷機の破損を生じさせる問題があった。
【０００５】
また、変位装置の付勢力が強くなるように調整した場合、印刷ウエブを即座に変位させることが可能である。しかし、上記のような印刷機では、特に印刷機の始動時等印刷ウエブが低速で搬送される場合、印刷ウエブのテンションは高速搬送時に比べて弱いため、ウエブ破断が生じていなくても、変位装置によって印刷ウエブがウエブ破断監視装置の測定範囲外へ変位せしめられ、誤ったウエブ破断シグナルが生じる危険性があった。
【０００６】
本発明は上記事情に鑑みてなされたものであり、その目的とするところは、印刷機の信頼性を高め得る、ウエブ破断監視装置を提供することにある。
【課題を解決するための手段】
【０００７】
上記課題を解決するために本発明は、（１）テンションを及ぼされつつ順次搬送される印刷ウエブにおけるウエブ縁部の少なくとも一方の面に対向して配置され、当該ウエブ縁部を検出すると共に、前記テンションの低下によって前記ウエブ縁部が検出範囲から外れた際にウエブ破断シグナルを発生させる少なくとも１つの検出装置と、前記検出装置の付近において、前記ウエブ縁部の少なくとも一方の面に対向して配置され、前記テンションの低下の際、前記ウエブ縁部の一方の面に圧縮空気流を吹き付けることにより、当該ウエブ縁部を前記検出装置の前記検出範囲外へ変位させる付勢力を生じせしめる圧縮空気ノズルを有する少なくとも１つの空気式変位装置と、を備えた輪転印刷機のウエブ破断監視装置であって、前記印刷ウエブの搬送速度に応じて変化するウエブ搬送速度シグナルに応答すると共に、予め定められた比率に応じて、前記圧縮空気ノズルの少なくとも一方による前記付勢力を、前記搬送速度が遅い場合は減少させ、前記搬送速度が速い場合は増加させる制御器を備えていることを特徴とする輪転印刷機のウエブ破断監視装置を提供するものである。
【０００８】
また本発明は、上記構成において、（２）前記制御器は、前記圧縮空気ノズルの少なくとも一方に供給される圧縮空気をリークさせてその圧力を変化させることにより、前記付勢力を、前記搬送速度が遅い場合は減少させ、前記搬送速度が速い場合は増加させるようになっていることを特徴とするウエブ破断監視装置を提供するものである。
【０００９】
また本発明は、上記構成のいずれかにおいて、（３）前記検出装置は、前記印刷ウエブにおける一方の面側に配置されて検出線を出射するトランスミッタと、他方の面側に配置されて前記検出線を受けるレシーバと、を備えていて、前記検出線は、前記印刷ウエブの前記テンションが正常である場合、前記ウエブ縁部を横切るようになっており、さらに、前記ウエブ縁部は、前記テンションが所定値よりも低下した場合、前記圧縮空気ノズルの少なくとも一方による前記付勢力によって、前記検出線が横切らない位置まで変位せしめられるようになっていることを特徴とするウエブ破断監視装置を提供するものである。
【００１０】
また本発明は、上記構成（３）において、（４）前記トランスミッタおよび前記レシーバのうちの一方は、前記印刷ウエブの一方の面側に配置され、他方は、前記印刷ウエブの他方の面側にそれぞれ配置されていて、前記トランスミッタおよび前記レシーバは、前記印刷ウエブの幅方向に関して互いに位置をずらして配置されていると共に、前記検出線が前記印刷ウエブの面に対して傾斜するように配置されており、さらに前記互いに位置をずらして配置されたトランスミッタおよびレシーバのうち、前記幅方向の中央に近い方は、前記印刷ウエブの面に関して前記圧縮空気ノズルと同じ側に配置されていることを特徴とするウエブ破断監視装置提供するものである。
【００１１】
また本発明は、上記構成のいずれかにおいて、（５）前記付勢力は、ウエブ側端の側から内側に前記ウエブ縁部を横切るように向けられていて、前記印刷ウエブのテンションが適正に保たれている正常運転中、前記ウエブ縁部の領域に、前記印刷ウエブ幅方向にわたって窪みを形成する強さに設定されていることを特徴とするウエブ破断監視装置を提供するものである。
【００１２】
また本発明は、上記構成（５）において、（６）前記トランスミッタおよび前記レシーバは、前記印刷ウエブのテンションが適正に保たれている正常運転中、前記検出線が前記窪みを横切るように配置されていることを特徴とするウエブ破断監視装置を提供するものである。
【００１３】
また本発明は、上記構成のいずれかにおいて、（７）少なくとも２つの前記圧縮空気ノズルは、前記印刷ウエブの同じ面側に配置されていると共に、前記ウエブ縁部の少なくとも一方に近接して配置されていて、前記圧縮空気流は、前記ウエブ縁部において、前記印刷ウエブの幅方向に関して互いにずれた位置に向けられ、一方の前記圧縮空気流が他方の前記圧縮空気流よりも前記ウエブ側端に近い位置に当たるようになっていることを特徴とするウエブ破断装置を提供するものである。
【００１４】
また本発明は、（８）それぞれが、請求項１〜７のいずれかに記載の前記検出装置と前記空気式変位装置とを有する２つの構成を備え、一方の前記構成は、前記ウエブ縁部の一方側に配置され、他方の前記構成は、前記ウエブ縁部の他方側に配置されていることを特徴とする輪転印刷機のウエブ破断監視装置を提供するものである。
【００１５】
なお、上記構成において、印刷ウエブおよびウエブ縁部の「面」とは、それらの表裏面を指し、端面は含まないものとする。
【発明の効果】
【００１６】
本発明によれば、従来のウエブ破断監視装置における欠点を回避し、ウエブ破断監視装置の機能的信頼性を高め、かつ輪転印刷機の装置的信頼性を高めることができる。
【発明を実施するための最良の形態】
【００１７】
以下、図面を参照して本発明の好ましい一実施形態につき説明する。
【００１８】
図１は、輪転印刷機における複数の印刷ユニットのうち、最後の印刷ユニットを示す図である。
当該輪転印刷機は、オフセット輪転印刷機であって、図１に示す如く、版胴３と、版胴３に下方から当接するゴム胴４と、印刷ウエブ８を介してゴム胴４に下方から当接するゴム胴６とからなる印刷ユニット２を有しており、印刷ユニット２によって印刷ウエブ８をウエブ搬送方向１０に沿って搬送するようになっている。なお、輪転印刷機は、印刷ユニット２の上流側に別の印刷ユニットを複数備え得る。
【００１９】
また、輪転印刷機は、最後の印刷ユニット２の下流側に、ウエブ捕捉装置１２を備えている。ウエブ捕捉装置１２を設けることは任意であるが、ウエブ捕捉装置１２を設けることにより、ウエブの破断が生じたとき、印刷ウエブ８の破断箇所以降の部分を挟み、印刷機の外部へ排出することができる。ウエブ捕捉装置１２は、例えば、捕捉ローラ１４およびコンタクトローラ１６（トロリローラ）により、構成され得る。印刷機の運転中の騒音を少なくするには、印刷ウエブ８を、通常時、両ローラ１４，１６によって挟まない状態で搬送し、ウエブの破断時のみ、両ローラ１４，１６によってウエブ８を挟み、下方に排出するように構成するのがよい。
【００２０】
印刷ウエブ８は、通常時（ウエブ破断が生じたとき以外）、ウエブ捕捉装置１２を通過した後、印刷インクを乾燥させるための乾燥機１８へ送られる。
【００２１】
本発明のウエブ破断監視装置２０は、印刷ウエブ８の縁部２２，２４の少なくとも一方、好ましくは両方、に対応して配置された少なくとも１つの検出装置２６を備えている。検出装置２６は、印刷ウエブ８の縁部２２，２４の下方に、ウエブ面に対向して配置されており、テンションを及ぼされつつ順次送られる印刷ウエブ８の縁部を検出するようになっている。検出装置２６はさらに、ウエブ縁部２２および／または２４が、ウエブ破断に起因する印刷ウエブ８のテンションの低下によって検出装置２６の検出範囲から外れたとき、ウエブ破断シグナルを発生させるようになっている。
【００２２】
なお、ウエブ破断監視装置は、ウエブテンションがウエブ破断とは異なる原因で低下し、ウエブ縁部が検出装置の検出範囲から外れたときも、ウエブ破断シグナルを生じる。したがって、ウエブ破断監視装置は、ウエブ破断に関係なく、印刷ウエブのテンションを全般的に監視するのに用いられ得る。
【００２３】
ウエブ破断監視装置２０は、ウエブ縁部２２および２４の少なくとも一方、好ましくは両方、に対応して検出装置２６付近に配置された空気式の変位装置３０を備えている。空気式の変位装置３０は、ウエブ縁部２２および／または２４に対応して配置された検出装置２６の付近に、ウエブ面に対向して配置された少なくとも１つの、好ましくは２つの圧縮空気ノズル３２および／または３４を備えている。圧縮空気ノズル３２および／または３４はそれぞれ、ウエブ縁部２２および／または２４における面に対し、圧縮空気流３５および／または３６を作用させる。この圧縮空気流３５および／または３６は、印刷ウエブ８のテンションに関してトラブルのない印刷を行うための、空気による付勢力を常時発生させる。なお、圧縮空気流３５および３６は、図１、図３および図４において、矢印によって図示されている。印刷ウエブ８は、そのテンションが所定値よりも下がったとき、ウエブ面に対して下方に作用する空気の付勢力によって、検出装置２６の検出範囲外へ変位せしめられる。
【００２４】
検出装置２６および変位装置３０は、印刷機における任意の箇所に配置され得るが、印刷ウエブ８の破断が生じ易い箇所に配置されるのが好ましい。
【００２５】
印刷ウエブ８の破断は、通常、乾燥機１８付近で生じ易い。したがって、検出装置２６および変位装置３０は、最後の印刷ユニットと乾燥機１８との間に配置されるのが好ましく、特に図１におけるウエブ捕捉装置１２と乾燥機１８との間に配置されるのが好ましい。検出装置２６および変位装置３０は、ウエブ捕捉装置１２の非回転部、乾燥機１８またはその他の印刷機械における静止している部材に固定され得る。
【００２６】
ウエブの破断が生じると、印刷ウエブ８のテンションが極端に落ちるため、印刷ウエブ８は、常時発生している圧縮空気流３５および３６の付勢力によって、検出装置２６の検出範囲外に変位せしめられる。検出装置２６は、ウエブ縁部２２および／または２４を検出範囲内において検出できない場合すぐに、ウエブ破断シグナル４０（例えば、電気、気体または液体によるシグナル）を発生させる。ウエブ破断シグナル４０により、印刷機は自動的に停止し、ウエブ捕捉装置１２が起動される。
【００２７】
ウエブ破断シグナル４０は、印刷機稼動中、ウエブ破断がなければゼロ値をとり、ウエブ破断が生じたときは自動的にゼロでない値、例えばプラスまたはマイナスの電気信号値をとるのが好ましい。また、別の実施形態として、検出装置２６が、ウエブ破断がなく正常に稼動しているときは連続的にシグナルを発生し、ウエブ破断を検出したとき自動的にそのシグナルをオフにする、すなわちウエブ破断シグナル４０をオフシグナル（ゼロシグナル値）とするように構成してもよい。さらに別の実施形態として、検出装置２６が、ウエブ破断のない場合において、ウエブ破断が生じたときとは異なる、ゼロでない一定のシグナル値を発生するように構成してもよい。これらのように、ウエブ破断シグナルの態様は適宜選択され得るが、本発明では、簡単に説明するために、ウエブ破断シグナル４０が「発生する」と記載している。
【００２８】
印刷ウエブ８は、ウエブ破断時、圧縮空気ノズル３２および３４からの圧縮空気流３５および３６による付勢力がなくても、検出装置２６の検出範囲から外れ得るが、空気の付勢力によるサポートがある場合と比較して、検出範囲から外れるのが非常に遅くなる。
【００２９】
圧縮空気ノズル３２は、検出装置２６のウエブ搬送方向１０における前側に配置され、圧縮空気ノズル３４は、検出装置２６のウエブ搬送方向１０における後側に配置されるのが好ましい。
【００３０】
検出装置２６は、印刷ウエブ８との距離または印刷ウエブ８がセンサ範囲内に存在するか否かに応じてシグナルを発生させる、例えば空気または電気による近接スイッチからなっていてもよい。また、検出装置２６は、一方のウエブ面側に投光素子および受光素子を備えた反射形光電センサからなっていてもよい。
【００３１】
検出装置２６は、検出軸４４に沿って検出線４３を出射すべく、一方のウエブ面側にトランスミッタ４１、他方のウエブ面側にレシーバ４２を備えていてもよい。検出軸４４は、ウエブ縁部２２および／または２４の領域を横切るように配置されており、ウエブのテンションが適正に保たれているとき、印刷ウエブ８のみによって遮られるようになっている。トランスミッタ４１およびレシーバ４２は、好ましくは光電センサ、より好ましくは赤外線センサからなり、それらの光線は検出線４３となる。
【００３２】
トランスミッタ４１（またはレシーバ４２）は、ウエブ搬送方向１０において圧縮空気ノズル３２および３４の間に配置され、かつ／または、ウエブ幅方向において圧縮空気ノズル３２および３４の位置からずれた位置に配置されるのが好ましい。ウエブの両面において、トランスミッタ４１、レシーバ４２および圧縮空気ノズル３２および３４（または圧縮空気ノズル３２，３４のいずれか一方）は、監視ユニット４５および／または４６として、統合され得る。
【００３３】
本発明にかかるウエブ破断監視装置はさらに、制御器５０を備えている。制御器５０は、印刷ウエブ８の搬送速度に応じて変化するウエブ搬送速度シグナル５２に応答し、予め定められた比率に応じて、印刷ウエブ８上に作用する圧縮空気流３６を、ウエブ搬送速度が遅い場合は減少させ、ウエブ搬送速度が速い場合は増加させる。空気による付勢力は、ウエブ搬送速度に対応して、その強さが予め定められているのが好ましく、ウエブ搬送速度に関する比例関数やその他の関数に従って変化し得る。また、付勢力は、印刷機の種類および／または印刷ウエブ８の材質に依存させてもよい。
【００３４】
ウエブ搬送方向１０へのウエブ搬送速度が速い場合、ウエブ搬送速度が遅い場合と比較して、圧空気流３５および３６の付勢力は十分強い値になるように調節されるが、通常時は印刷ウエブ８が検出装置２６の検出線４３の範囲外へ押し出されることはない。つまり、本発明によれば、ウエブ搬送速度が速い場合、付勢力の強い圧縮空気流を作用させるので、ウエブ破断時、印刷ウエブ８を検出線４３の検出範囲から即座に押し出すことができる。また、ウエブ搬送速度に応じて付勢力を変化させることにより、ウエブ搬送速度が遅い場合は付勢力が自動的に減少する。したがって、本発明によれば、ウエブ破断のない状態において、付勢力により印刷ウエブ８が検出装置２６の検出線４３の検出範囲外へ押し出されることはない。いずれのケースにおいても、ウエブ破断が生じた場合、印刷ウエブ８は、検出装置２６の検出線４３の検出範囲外へ即座に変位せしめられる。
【００３５】
空気による付勢力は、圧縮空気源５４から、圧縮空気調整器（圧力調整弁や逃し弁等）５６および圧縮空気ノズル３２，３４を介して供給される圧縮空気の圧力を適正に調整することによって強さを変化させるのが好ましい。上記の構成に追加して、またはそれに替えて、圧縮空気ノズル３２および３４の印刷ウエブ８に対する噴出方向を変化させ、印刷ウエブ８に作用する空気の付勢力の強さを変化させてもよい。このとき、圧縮空気調整器５６または圧縮空気ノズル３２，３４の噴出方向は、制御器５０によって自動的に制御される。
【００３６】
制御器５０は、印刷ウエブ８のウエブ搬送速度に依存する、電気的（空気的）な搬送速度信号５２を、好ましくは印刷機の制御装置から受信する。印刷機の制御装置は一般に、印刷機の他の機能のために、ウエブ搬送速度に依存する搬送速度信号を生じさせる。また、搬送速度信号５２は、信号発生器によって生じせしめられ、シリンダ（ローラまたはロール）を駆動し、印刷ウエブ８を進行させる。
【００３７】
トランスミッタ４１とレシーバ４２との間の検出軸４４は、図３および図４に示す如く、印刷ウエブ８のウエブ面に対して傾斜して配置され、トランスミッタ４１またはレシーバ４２の一方が、ウエブの幅方向中央からさらに離れた構成となっている。すなわち、一方、例えばレシーバ４２が、印刷ウエブ８の側端６０，６２よりも外側に配置されるのが好ましい。この場合、ウエブ破断が生じ、印刷ウエブ８が圧縮空気流３５，３６によって変位せしめられた際、レシーバ４２がその変位の障害になることはない。圧縮空気ノズル３２，３４の少なくとも一方は、印刷ウエブ８から間隔をあけて、他方側、例えばトランスミッタ４１側であって、一方側、例えばレシーバ４２よりもウエブ幅方向中央に近い位置に配置される。
【００３８】
しかし、図３および図４において、レシーバ４２およびトランスミッタ４１は、それぞれ位置を入れ替えて配置されてもよい。圧縮空気流３５および３６を受けたウエブ縁部２２，２４は、図３および図４において破線で示されている。一方、印刷ウエブ８は、適正なテンションが及ぼされた正常な印刷状態として、ウエブ幅方向にまっすぐに延びる実線で示されている。
【００３９】
図４に示す本発明のさらに好ましい実施形態によれば、圧縮空気流３５，３６の少なくとも一方、好ましくは両方、の付勢力が非常に強くるように設定されていると共に、圧縮空気流３５，３６の少なくとも一方が、側端６０および／または６２から内側に離れたウエブ縁部２２および／または２４に向けられている。その結果、印刷ウエブ８のテンションが適正に保たれている正常運転中、上記空気流の付勢力により、印刷ウエブ８の縁部２２および２４の領域に、ウエブの幅方向にわたって窪み６４および／または６６が形成される。ウエブ縁部２２および２４は、この窪み６４および６６により、ウエブ搬送方向に沿って補強される。したがって、この実施形態によれば、ウエブ縁部におけるウエブ搬送方向に沿った波打ちを回避し、監視装置の機能的信頼性を向上させることができる。
【００４０】
また、ここで、検出軸４４および検出線４３は、ウエブ縁部２２および２４の窪み６４および／または６６、好ましくは当該窪みの外側半分、さらに好ましくは当該窪みのウエブ側端６０および／または６２直近、を通過するように配置されている。よって、ウエブ縁部２２および／または２４は、圧縮空気流３５および／または３６による小さな変位によって、検出軸４４および検出線４３から外れる。したがって、ウエブ破断監視装置は、印刷ウエブ８が破断してそのテンションが急激に弱くなると、ウエブ破断シグナル４０を即座に発生させることができる。
【００４１】
本発明のさらに好ましい実施形態によれば、図２〜４に図示されるように、ウエブ縁部２２，２４の少なくとも一方（好ましくは両方）に対し、少なくとも２つの圧縮空気ノズルが向けられている。圧縮空気ノズル３２（３４）からの圧縮空気流３５（３６）は、圧縮空気ノズル３４（３２）からの圧縮空気流３６（３５）よりも、ウエブ縁部２２，２４におけるウエブ側端６０，６２に近い側に向けられている。したがって、圧縮空気流３４および３６が作用する印刷ウエブ８上の箇所は、互いにウエブの幅方向にずれている。
【００４２】
以上のように、本発明によれば、ウエブ破断が生じたとき、印刷ウエブ８を検出軸４４外へ即座に変位させることができる。
【００４３】
本発明の特徴、特に、
（i）ウエブ縁部２２，２４の少なくとも一方に対する圧縮空気による付勢力をウエブ搬送速度に応じて変化させること、
（ii）印刷ウエブ８の側端近辺に窪み６４および／または６６を形成すること、および、
（iii）圧縮空気流の衝突箇所を、ウエブ縁部２２，２４の少なくとも一方において、ウエブの幅方向に互いにずらして配置すること、
は互いに独立して利用可能であって、それぞれによって、ウエブ破断監視装置の機能的信頼性を改善することができる。また、これらの思想を２つまたはそれ以上組み合わせることにより、機能的信頼性をさらに改善することができる。
【図面の簡単な説明】
【００４４】
【図１】本発明の輪転印刷機のウエブ破断監視装置を示す側面図である。
【図２】図１の輪転印刷機のウエブ破断監視装置を示す平面図である。
【図３】図２のIII−III線に沿った断面図である。
【図４】別の実施形態を示す、図３と同様の断面図である。
【符号の説明】
【００４５】
８  印刷ウエブ
２２，２４  ウエブ縁部２２，２４
２６  検出装置
３０  変位装置
３２，３４  圧縮空気ノズル
５０  制御器
【図１】
2007069610.tif 000003
【図２】
2007069610.tif 000004
【図３】
2007069610.tif 000005
【図４】
2007069610.tif 000006